(57)【要約】【課題】使い勝手が良好で、かつ、既設のロッカー扉にも簡単に適用できるロッカー用施錠装置の提供を目的とする。【解決手段】施錠位置から解錠位置への移行操作が許容される錠装置３の施錠操作を制御する施錠操作制御装置８を有するロッカー用施錠装置であって、  錠装置３は、回転軸９ａを中心として回転自在なロッカー扉９に固定される錠ケース１５と、該錠ケース１５に装着され回転によってロッカー筐体１３側に進退するロックプレート２とを有し、  施錠操作制御装置８は、解錠位置にあるロックプレート２のほぼ直上位置に配置され、錠装置３とは独立してロッカー扉９に固定されるケース１０と、ケース１０内への施錠許可カード４の挿入により前記ロックプレート２の施錠方向への移動経路からの退避が可能となりロックプレート２の施錠位置への回転を許可する施錠禁止杆７とを有して構成する。【選択図】  図５
2008095501.tif 000002
【特許請求の範囲】
【請求項１】
施錠位置から解錠位置への移行操作が許容される錠装置の施錠操作を制御する施錠操作制御装置を有するロッカー用施錠装置であって、
錠装置は、回転軸を中心として回転自在なロッカー扉に固定される錠ケースと、該錠ケースに装着され回転によってロッカー筐体側に進退するロックプレートとを有し、
施錠操作制御装置は、解錠位置にあるロックプレートのほぼ直上位置に配置され、錠装置とは独立してロッカー扉に固定されるケースと、ケース内への施錠許可カードの挿入により前記ロックプレートの施錠方向への移動経路からの退避が可能となりロックプレートの施錠位置への回転を許可する施錠禁止杆とを有するロッカー用施錠装置。
【発明の詳細な説明】
【技術分野】
【０００１】
本発明はロッカー用施錠装置に関するものである。
【背景技術】
【０００２】
ロッカー用施錠装置としては、特許文献１に記載のものが知られている。この従来例において、施錠装置は錠箱内にダイヤル錠を構成して形成され、複数のダイヤルを所定の解錠符号列に整列させると、鎌を施錠位置から解錠位置に移行させる操作が許容される。
【０００３】
この種ダイヤル錠はロッカー利用者がダイヤルを操作して適宜解錠符号列を設定するために、解錠状態にある際に悪戯、あるいは過失等によりダイヤルが操作されてロッカー扉が施錠されてしまうと、管理者でも解錠することができず、これを防ぐために、鎌の回転軸先端には扁平角軸が形成されており、解錠状態では凹形係止部材が扁平角軸に嵌合して鎌の回転が禁止される。凹形係止部材は圧縮スプリングにより回転軸方向に付勢されており、圧縮スプリングの付勢力に抗して凹形係止部材を降下させることにより、凹形係止部材と扁平角軸との係止が解除され、鎌を回転させることができる。
【０００４】
凹形係止部材の操作は特定されたロッカー利用者に交付される鍵板を挿入することにより行われ、鍵板の先端には凹形係止部材をスプリングの反力に抗して押し下げる押圧面と、凹形係止部材を押し下げた状態で扁平角軸の回転領域を提供するための円形の凹部が設けられる。
【特許文献１】特開平１０-１８４１３６号公報
【発明の開示】
【発明が解決しようとする課題】
【０００５】
しかし、上述した従来例には以下の欠点がある。まず、鍵板は圧縮スプリングの反力に抗して凹形係止部材を押し下げるものであるから、容易に座屈しないような剛性が求められる。一方、この種鍵板は、例えばスポーツ施設の会員等に交付され、会員が管理するような運用を考慮すると、持ち運びが便利であることが望ましいが、上記従来例における鍵板は相当厚の板厚が必要となり、携帯に不便で使い勝手が悪い上に鍵板の製造コストが高くなる。
【０００６】
また、挿入状態で鍵板にはスプリングにより離脱方向の力が与えられるために、スプリングの付勢力に抗して鍵板を所定位置に保持するための機構が必要となり、全体の構造が複雑になる。
【０００７】
さらに、鍵板は直接ダイヤル錠をアクセスするものであるから、鍵板の挿通部とダイヤル錠とを接近して配置することが必要となる（鍵板の挿通部とダイヤル錠との間隔を大きくとると、鍵板の全長が不必要に長くなってしまう）。したがって、上述した従来例においては、全体を一体に形成することが必要となるが、この場合、既設のロッカー扉に適用するためには、既設のダイヤル錠等の錠装置を廃棄する必要が生じ、設置コストが上昇する。
【０００８】
本発明は以上の欠点を解消すべくなされたもので、使い勝手が良好で、かつ、既設のロッカー扉にも簡単に適用できるロッカー用施錠装置の提供を目的とする。
【課題を解決するための手段】
【０００９】
本発明によれば上記目的は、
施錠位置から解錠位置への移行操作が許容される錠装置３の施錠操作を制御する施錠操作制御装置８を有するロッカー用施錠装置であって、
錠装置３は、回転軸９ａを中心として回転自在なロッカー扉９に固定される錠ケース１５と、該錠ケース１５に装着され回転によってロッカー筐体１３側に進退するロックプレート２とを有し、
施錠操作制御装置８は、解錠位置にあるロックプレート２のほぼ直上位置に配置され、錠装置３とは独立してロッカー扉９に固定されるケース１０と、ケース１０内への施錠許可カード４の挿入により前記ロックプレート２の施錠方向への移動経路からの退避が可能となりロックプレート２の施錠位置への回転を許可する施錠禁止杆７とを有するロッカー用施錠装置を提供することにより達成される。
【００１０】
また、ロッカー用施錠装置は、
複数のダイヤル１を所定の解錠符号列に合致させた際にロックプレート２を解錠方向に操作可能なダイヤル錠３と、
施錠許可カード４の挿入により該施錠許可カード４の挿通路５を横断する検知レバー６を自由端６ａが施錠許可カード４の裏面に回り込むまで回転させ、施錠許可カード４未挿入状態でロックプレート２の施錠方向への移動経路に侵入している施錠禁止杆７を移動経路から退避させてロックプレート２の施錠位置への移動を許可する施錠操作制御装置８とを有するように構成することができる。
【００１１】
ロッカー用施錠装置に採用することのできる施錠操作制御装置８は、
ロッカー利用者の設定した解錠コードでのみロックプレート２の施錠位置から解錠位置への移行操作が許容される錠装置の施錠操作を制御する錠装置の施錠操作制御装置であって、
ロッカー扉９に固定されるケース１０と、
ケース１０内に設けられる施錠許可カード４の挿通路５を横断し、施錠許可カード４の挿入により自由端６ａが施錠許可カード４の裏面に回り込むまで回転する検知レバー６と、
検知レバー６の回転により前記ロックプレート２の施錠方向への移動経路１４に向けて進退する施錠禁止杆７とを有し、
施錠許可カード４挿入時にのみ施錠禁止杆７をロックプレート２の移動経路１４から退避させてロックプレート２の施錠位置への移動を許可するように構成することができる。
【００１２】
この場合、検知レバー６は、施錠許可カード４の幅方向中心部に干渉可能な位置に配置されるとともに、
挿通路５のロッカー外方側壁面５ａには、前記検知レバー６の両側に配置され、施錠許可カード４を挿通路５の反対壁面に導くガイド突部１１が設けられ、
検知レバー６とガイド突部１１の施錠許可カード４への衝接側辺縁が側面視において交叉するように構成することができる。
【発明の効果】
【００１３】
以上の説明から明らかなように、本発明によれば、施錠許可カードの厚さ等を問わないために、利用者が携帯する際に便利であり、かつ、既設のロッカー扉にも簡単に適用することができる。
【発明を実施するための最良の形態】
【００１４】
図１に示すように、ロッカー用施錠装置は、ダイヤル錠（錠装置３）と、施錠操作制御装置８とから構成される。ダイヤル錠３は回転軸９ａを中心として回転自在なロッカー扉９に固定される錠ケース１５を備え、該錠ケース１５にはロッカー内方端部にロックプレート２が固定された操作ノブ１２が配置される。操作ノブ１２を図１（ｂ）において矢印Ａ方向に回転させると、ロックプレート２が破線で示す解錠位置から鎖線で示す施錠位置に回転し、ロッカー筐体１３側に開設されたロック孔１３ａに係合する。
【００１５】
また、ダイヤル錠３は例えば操作ノブ１２を操作することによってロックプレート２をロッカー筐体１３側に進退させてロッカー扉９を施解錠するように構成され、解錠操作は、施錠操作をしたロッカー利用者により設定された解錠符号列にダイヤル１を整列させて行えばよく、ダイヤル錠３の錠ケース１５には複数のダイヤル１、１・・が回転操作可能に配置され、ロッカーの利用者はダイヤル１を操作して任意の符号列を解錠符号列として設定することができる。一旦設定された解錠符号列は、当該設定者により解錠操作が行われるまで有効であり、ダイヤル１を操作して解錠符号列を再現しなければロックプレート２を施錠位置から解錠位置に移行させることができない。
【００１６】
この実施の形態において、ダイヤル錠３は初期状態復帰機能を有しており、操作ノブ１２による施錠操作に先だってダイヤル１により解錠符号列を設定し、この後、操作ノブ１２を操作して施錠操作を行うとダイヤル１は初期符号列に自動復帰する。この後、ダイヤル１により解錠符号列を再現して解錠操作を行うと、ダイヤル１は再び初期符号列に自動復帰する。
【００１７】
図２、３に示すように、施錠操作制御装置８は、解錠状態にあるダイヤル錠３が悪戯、あるいは過失で施錠状態とされることを防止するもので、後述する施錠許可カード４の挿通路５に飛び出す後述する検知レバー６を備える。挿通路５に施錠許可カード４が挿入されない状態で検知レバー６に連結された後述する施錠禁止杆７は、ロックプレート２の施錠位置側への移動経路１４に侵入してロックプレート２の移動を阻止しており、施錠許可カード４を挿入すると、検知レバー６が回転して施錠禁止杆７を後述する移動経路１４から退避させる。
【００１８】
この結果、施錠許可カード４が挿入されない状態ではダイヤル錠３を施錠操作することができなくなり、悪戯、あるいは過失による施錠操作が防止される。施錠禁止杆７の操作は検知レバー６を回転させることにより行われるために、検知レバー６のレバー比を良好に設定すれば、小さな操作力で検知レバー６を動作させることができる。このため、施錠許可カード４を例えば名刺程度の厚さ、および大きさの紙片で形成することができ、施錠許可カード４の携帯性が向上し、さらに、施錠許可カード４の製造コストも低下する。
【００１９】
また、施錠操作制御装置８はダイヤル錠３と別体に形成することができるために、例えば既設のロッカー扉９に取り付けられたダイヤル錠３等の錠装置を利用してロッカー用施錠装置を構成できるので、汎用性が向上する。施錠操作制御装置８は、上記ダイヤル錠３の直上位置においてロッカー扉９に固定されるケース１０を備える。ケース１０には透明な表面パネル１６が固定され、ケース１０に形成される背面プレート１０ａと協働して後述する施錠許可カード４の挿通路５が形成される。このようにして挿通路５のロッカー外方側壁面５ａを構成する表面パネル１６の裏面には、後述する検知レバー６の検知部６ｂを左右から挟む位置に一対のガイド突部１１が設けられる。ガイド突部１１は、挿通路５内に挿入される施錠許可カード４の挿入先頭端縁が衝接するガイド面１１ａを備える。このガイド面１１ａは、施錠許可カード４を挿入するにしたがって該施錠許可カード４を背面プレート１０ａ方向にガイドする斜面で形成され、終端部において背面プレート１０ａとの間には施錠許可カード４の板厚にほぼ等しい間隙ｄが形成される。挿通路５が前下がりに配置される図示の例において、ガイド面１１ａはほぼ鉛直下方を向くように形成される。
【００２０】
さらに、挿通路５は上方に向けて開放され、開放端をロッカー扉９の背面に位置させることによってロッカー扉９が開放されている時にだけ挿通路５に施錠許可カード４を挿入することができる。挿通路５に施錠許可カード４を挿入すると、施錠許可カード４の挿入先頭端縁は検知レバー６により幅方向中心部が挿通路５のロッカー外方側壁面５ａに押し付けられ、その両側がガイド突部１１により反対方に押し付けられる。この結果、施錠許可カード４の剛性が低くても、施錠許可カード４はＵ字形状にやや変形することにより座屈変形に対する剛性が向上し、さらに、検知レバー６への加重領域の両端がガイド突部１１により支持されるために、名刺程度の板厚の紙片を施錠許可カード４に使用することができる。また、挿通路５内で施錠許可カード４はガイド突部１１と検知レバー６の自由端６ａにより表裏が挟み付けられた状態となるために、挿入後の挿通路５内での遊び、ぐらつきがなくなる。なお、図２、３において１６ａは表面パネル１６の両端に形成されるケース１０への固定部を示す。
【００２１】
上記ケース１０には検知レバー６が装着される。検知レバー６は検知部６ｂと操作部６ｃとを連結杆部６ｄで連結してクランク形状に形成され、検知部６ｂ基端においてケース１０のヒンジ舌片１０ｂに回転自在に連結される。図３に示すように、検知レバー６をヒンジ舌片１０ｂに連結する支軸１７はケース１０の背面プレート１０ａの後方に配置され、検知レバー６には、後述する施錠禁止杆７の自重により図３における反時計回り、すなわち、検知部６ｂの先端（自由端６ａ）が上方に向かう方向の回転力が与えられ、検知部６ｂの自由端６ａは表面パネル１６の裏面に当接する。表面パネル１６への当接状態において検知部６ｂの上面、すなわち、施錠許可カード４の挿入先頭端縁との衝接面は前下がりの傾斜面とされ、この傾斜面と上記ガイド面１１ａとは側面視（図３に示される方向）においてＸ字状に交叉する。また、ケース１０への連結状態において検知レバー６の検知部６ｂはケース１０の幅方向中心部に位置し、操作部６ｃは解錠位置にあるロックプレート２のほぼ直上位置に配置される。
【００２２】
上記検知レバー６の操作部６ｃには施錠禁止杆７が回転自在に吊り下げられる。施錠禁止杆７は検知レバー６への連結部と反対端部を錠ケース１５に掛け渡すように配置され、錠ケース１５側の端部に形成された被ガイド部７ａを錠ケース１５のガイドブロック１５ａ、１５ａ間に上下摺動自在に嵌合させることにより側方への移動が規制される。上記検知レバー６の自由端６ａは施錠許可カード４が挿入された状態では施錠許可カード４に押されて該施錠許可カード４の裏面に回り込んでいるために、施錠許可カード４には抜去方向に大きな力が生じない。このため、施錠許可カード４の保持機構を特別に設ける必要がなく、構造が簡単になる。
【００２３】
また、上記ロックプレート２の背面には突起２ａが立設されるとともに、施錠禁止杆７にはブロック部７ｂが設けられる。ブロック部７ｂは解錠位置にあるロックプレート２（図２において実線で示す）が図２において鎖線で示す施錠位置に移行する際の突起２ａの移動経路１４に干渉する位置に配置される。図示の例において施錠禁止杆７は板金により形成され、被ガイド部７ａ、およびブロック部７ｂは側方への剛性を向上させるための正面側への折り返しが利用される。また、突起２ａはロックプレート２にピンを立設させて形成される。
【００２４】
図２、３に示すように、ロックプレート２が解錠位置にあり、施錠許可カード４が挿入されていない状態では、施錠禁止杆７のブロック部７ｂは突起２ａの施錠位置側への移動経路１４に侵入、干渉し、かつ、施錠禁止杆７の同方向への移動はガイドブロック１５ａにより規制されているために、操作ノブ１２を施錠側に回転させることができない。この状態から、図４、５に示すように、背面カバー１８に形成されたカード挿入口１８ａから挿通路５に施錠許可カード４を挿入すると、該施錠許可カード４の挿入先頭端縁はガイド突部１１のガイド面１１ａに導かれて背面プレート１０ａ側に移動し、検知レバー６を下方に押し下げる。施錠許可カード４により押し下げられた検知レバー６は、自由端６ａが施錠許可カード４の背面壁に当接するまで回転することができ、回転しながら施錠禁止杆７を引き上げる。図４に示すように、施錠禁止杆７の上方への移動ストローク終端において、ブロック部７ｂは突起２ａの施錠方向への移動経路１４から退避するために、以降、操作ノブ１２を施錠方向に回転して施錠操作を行うことができる。
【００２５】
施錠操作後は施錠許可カード４を抜き取ることができないため、ロッカーの施錠状態においてブロック部７ｂが突起２ａの移動経路１４に侵入することはない。
【００２６】
したがってこの実施の形態において、検知レバー６操作時に施錠許可カード４に負荷される座屈方向の荷重は小さく、しかも、検知レバー６への荷重付加時には、左右両端がガイド突部１１に支えられているために、施錠許可カード４には名刺状の紙片でも利用することができる。また、挿通路５の奥行き寸法Ｌを検知レバー６が施錠禁止杆７を動作させるに十分なストローク角度が得られる長さに設定しても、該挿通路５に挿入した施錠許可カード４は、図５に示すように表裏がガイド突部１１と検知レバー６の自由端６ａに挟まれているために、挿通路５内でぐらつくことがない。さらに、挿通路５のロッカー外方側壁面５ａは透明体で形成されているために、施錠許可カード４が挿入されているかどうかを容易に外部から目視することができ、空きロッカーを容易に判別することができる上に、施錠許可カード４に会員番号等を記入してロッカー利用者に交付した場合には、挿通路５を名札入れとしても利用できる。
【００２７】
なお、以上の説明において、施錠許可カード４は矩形状に形成される場合を示したが、図６（ａ）に示すように、挿入先頭端縁に挿通路５内に突出するコード突起５ｂに嵌合可能なコード溝４ａを設けると、コード溝４ａのない施錠許可カード４では検知レバー６を操作することができないために、ロッカー利用者を限定することができる。この場合、図１の例ではロッカー外方側壁面５ａは全面に渡って透明に形成されているが、コード突起２ａが外部から見えないように、ロッカー外方側壁面５ａの中心部のみに透明窓５ｃを設けるのが望ましい。また、図６（ｂ）に示すように、コード突起２ａとコード溝４ａを複数組設けることにより、利用ロッカーを限定することができる。
【図面の簡単な説明】
【００２８】
【図１】本発明を示す図で、（ａ）はロッカー扉に取り付けた状態を示す正面図、（ｂ）は（ａ）の１Ｂ部拡大図である。
【図２】ロッカー用施錠装置をロッカー扉の背面側から見た図である。
【図３】図２の３Ａ-３Ａ線断面図である。
【図４】施錠許可カードを挿入した際のロッカー用施錠装置をロッカー扉の背面側から見た図である。
【図５】図４の５Ａ-５Ａ線断面図である。
【図６】施錠許可カードの変形例を示す説明図である。
【符号の説明】
【００２９】
１        ダイヤル
２        ロックプレート
３        ダイヤル錠
４        施錠許可カード
５        挿通路
５ａ      ロッカー外方側壁面
６        検知レバー
６ａ      自由端
７        施錠禁止杆
８        施錠操作制御装置
９        ロッカー扉
１０      ケース
１１      ガイド突部
【図１】
2008095501.tif 000003
【図２】
2008095501.tif 000004
【図３】
2008095501.tif 000005
【図４】
2008095501.tif 000006
【図５】
2008095501.tif 000007
【図６】
2008095501.tif 000008